(57)【要約】【課題】  建物を含めて雨水や生活排水の再利用など資源の活用が充分に図ることが可能である菜園付き住宅と建物内に居ながらにして菜園の様子を確認して散水できるシステムを少ない負担で提供する。【解決手段】  住宅用の建物１が設置されている敷地２の一部に菜園３が設けられているとともに菜園３又は建物１の敷地２内には建物１からの生活排水や建物１に設置した雨水捕集手段６からの雨水をそのまま或いは浄化して貯留するための貯水槽８と、貯水槽８内の水を菜園３に散水するための散水装置９と、菜園３の情報や予定表等の内部情報及び適宜の通信手段により入手可能な天気情報や菜園３に関する外部情報をモニタ１３に表示し記憶させておくことが可能な情報管理装置１５を設置した。【選択図】      図１
2006000062.tif 000002
【特許請求の範囲】
【請求項１】
住宅用の建物が設置されている敷地の一部に菜園が設けられているとともに前記菜園又は建物の敷地内には前記建物からの生活排水や前記建物に設置した雨水捕集手段からの雨水をそのまま或いは浄化して貯留するための貯水槽と、前記貯水槽内の水を前記菜園に散水するための散水装置が設置されていることを特徴とする菜園付き住宅。
【請求項２】
前記貯水槽に前記住宅用建物における生活排水の浄化槽が連結されているとともに前記住宅用の建物における生活水への供給装置が備えられている請求項１記載の菜園付き住宅。
【請求項３】
前記貯水槽と散水装置との間に水質調整器、薬剤混入器、温水過熱器などの付加装置が配置されている請求項１または２記載の菜園付き住宅。
【請求項４】
前記建物の所定位置に防犯用途兼用のモニタカメラが設置されているとともに前記建物内に前記モニタカメラからの映像を表示するモニタ、防犯機器及び前記散水装置を制御するための制御装置が配置されている請求項１，２または３記載の菜園付き住宅。
【請求項５】
前記制御装置により散水などの作業を予約可能とした請求項１，２，３または４記載の菜園付き住宅。
【請求項６】
前記建物内に配置されている制御装置には前記菜園の情報や予定表等の内部情報及び適宜の通信手段により入手可能な天気情報や菜園に関する外部情報を前記モニタに表示し更に記憶させておくことが可能な情報管理装置が付設されている請求項１，２，３，４または５記載の菜園付き住宅。
【請求項７】
前記制御装置が外部のセキュリティー管理会社に接続されている請求項５，６記載の菜園付き住宅。
【発明の詳細な説明】
【技術分野】
【０００１】
本発明は、木造一戸建てコンクリート製の集合住宅を問わず各種の住宅用の建物が設置されている敷地の一部に菜園が設けられている菜園付き住宅に関するものである。
【背景技術】
【０００２】
近頃、安全な野菜を食すると共に趣味を兼ねて自分で野菜を栽培する人が増えている。そして、栽培する場所も従来他人の畑の一部を借りて行う場合が多く、行き来するだけで多大な労力を費やし、更に、散水や肥料などの散布などの日頃の手入れも大変である。
【０００３】
一方、水道水や地下水をそのまま菜園に散布すると資源の無駄となり、例えば雨水を散水に利用するシステムが特開平１０‐２１９７５９号公報に提示されている。
【０００４】
一方、野菜の栽培は散水など定期的に手入れをしなければならないが常に菜園に出向いて土壌の湿度や作物などの状況を確認するのは面倒であり、菜園の様子を遠隔操作カメラで監視して菜園に設置された散水機を作動させる手段が、特開２００２‐２７９０１７号公報に提示されている。
【０００５】
ところが、前記特開平１０‐２１９７５９号公報に提示されている雨水を散水に利用するシステムは、地下に埋設された雨水桝に溜まった雨水を散水や水洗便所などに利用するものであり、生活排水の再利用など資源の活用が充分に図られていない。
【０００６】
更に、特開２００２‐２７９０１７号公報に提示されている菜園の様子を遠隔操作カメラで監視して菜園に設置された散水機を作動させる手段を実施するには水分監視用の遠隔操作カメラを特別に設置しなければならず経済面で不利である。
【特許文献１】特開平１０‐２１９７５９号公報
【特許文献２】特開２００２‐２７９０１７号公報
【発明の開示】
【発明が解決しようとする課題】
【０００７】
本発明が解決しようとする課題は、建物を含めて雨水や生活排水の再利用など資源の活用が充分に図ることが可能である菜園付き住宅を提供するものである。また、建物内に居ながらにして菜園の様子を確認して散水できるシステムを少ない負担で提供するものである。
【課題を解決するための手段】
【０００８】
前記課題を解決するため、本発明である菜園付き住宅は、住宅用の建物が設置されている敷地の一部に菜園が設けられているとともに前記菜園又は建物の敷地内には前記建物からの生活排水や前記建物に設置した雨水捕集手段からの雨水をそのまま或いは浄化して貯留するための貯水槽と、前記貯水槽内の水を前記菜園に散水するための散水装置が設置されていることを特徴とする。
【０００９】
また、前記貯水槽に前記住宅用建物における生活排水の浄化槽が連結されているとともに前記住宅用の建物における生活排水への供給装置が備えられている手段、前記貯水槽と散水装置との間に水質調整器、薬剤混入器、温水過熱器などの付加装置が配置されている手段、前記建物の所定位置に防犯用途兼用のモニタカメラが設置されているとともに前記建物内に前記モニタカメラからの映像を表示するモニタ、防犯機器及び前記散水装置を制御するための制御装置が配置されている手段、前記建物内に配置されている制御装置には前記菜園の情報や予定表等の内部情報及び適宜の通信手段により入手可能な天気情報や菜園に関する外部情報を前記モニタに表示し更に記憶させておくことが可能な情報管理装置が付設されている手段を講じることができる。
【発明の効果】
【００１０】
本発明によれば、建物からの生活排水や雨水を菜園に散水したり生活水として再利用するなど資源の活用を図ることができる。また、前記貯水槽と散水装置との間に水質調整器、薬剤混入器、温水過熱器などの付加装置を用いることにより散水だけでなく、消毒や栄養補給など各種の手入れをすることができる。
【００１１】
更に、前記建物の所定位置に防犯用途兼用のモニタカメラが設置されているとともに前記建物内に前記モニタカメラからの映像を表示するモニタ、防犯機器及び前記散水装置を制御するための制御装置が配置されている場合には建物の中に居ながらにして菜園の様子を確認できるとともに建物内に配置されている制御装置により散水などの作業をすることができ、特に制御装置により散水などの作業を予約しておくことを可能にすることにより作業を忘れたり旅行に出かけたりしても作物を枯らしたりする心配がない。
更に、前記菜園の情報や予定表等の内部情報及び適宜の通信手段により入手可能な天気情報や菜園に関する外部情報を前記モニタに表示し更に記憶させておくことが可能な情報管理装置が付設されている手段を講じることにより、各種の菜園に関する情報を有効に利用して栽培をすることができる。
更にまた、制御装置が外部のセキュリティー管理会社に接続されている場合には、管理会社を介して防犯や防災にも役立つこととなる。
【発明を実施するための最良の形態】
【００１２】
次に、本発明を実施するための最良の形態について説明する。
【００１３】
図１及び図２は本発明の好ましい実施の形態を示すものであり、本発明である菜園付き住宅は、住宅用の建物１が設置されている敷地２に隣接して菜園３が設けられており、建物１の地下には、建物１からの生活排水を溜めて浄化するための浄化槽４と浄化槽４からの浄化した水がポンプを有する送水手段５により供給されるとともに建物１に設置した例えば樋などからなる雨水捕集手段６からの雨水を濾過装置７を介して貯留するための貯水槽８とが埋設されている。
【００１４】
また、貯水槽８には貯水槽８内の水を菜園３に散水するための散水装置９及び建物１内の生活水を供給するための吸水装置１０とが設置されているとともに、貯水槽８と散水装置９との間に水質調整器、薬剤混入器、温水過熱器などの付加装置１１が配置されている。
【００１５】
更に、建物１の所定位置に防犯用途兼用のモニタカメラ１２が設置されているとともに建物１内にモニタカメラ１２からの映像を表示するモニタ１３、防犯機器（図示せず）及び散水装置９を制御するための制御装置１４が配置されている。
【００１６】
更にまた、制御装置１４には前記菜園の情報や予定表等の内部情報及び適宜の通信手段により入手可能な天気情報や菜園に関する外部情報をモニタ１３に表示し更に記憶させておくことが可能な情報管理装置１５が付設されている。
【００１７】
本実施の形態は、建物１の屋根１６に降った雨水が雨水捕集手段６を介して捕集され必要ならば濾過装置７を介して貯水槽８に貯留される。この貯水槽８には雨水の他、隣接されている建物１内のトイレや流しなどからの生活排水が著量される浄化層４からの浄化水が送水手段５を介して貯留される。
【００１８】
そして、菜園３に散水したい場合には、建物１外に設置されたスイッチなどの制御手段１７を操作して散水装置９を作動させればよい。尚、散水装置９は本実施の形態では地表に設置するスプリンクラー式であるが、例えば上方から散布する方式や建物１の屋根や壁面から散水する方式（図示せず）を採用してもよい。
【００１９】
特に、貯水槽８と散水装置９との間に水質調整器、薬剤混入器、温水過熱器などの付加装置１１を用いることにより、各種の薬剤や肥料などを散水と同様にして散布することができ、更に、冬場などは温水を散布することもできる。
【００２０】
一方、貯水槽８に溜めてある水はポンプを有するもう一つの吸水手段１０を介して建物１内の生活水として再利用することができる。
【００２１】
また、本実施の形態では、建物１の所定位置に防犯用途兼用のモニタカメラ１２が設置されているので、モニタカメラ１２からの映像を建物１内に設置したモニタ１３に表示し、作物の状態や菜園３の土壌の乾き具合等を確認して制御装置１４を介して散水装置９を制御することにより、建物１内から菜園の手入れをすることもできる。特に、本実施の形態ではモニタカメラ１２、モニタ１３、制御装置１４等は建物１の防犯用のものを流用できるので菜園３用として別に設置する必要がなく、経済的にも有利であり、可能であれば建物１に設置された例えば赤外線を利用した防犯システム等を菜園３にまで延長して設置することにより菜園３についても防犯体制を敷くことができる（図示せず）。
【００２２】
更に、制御装置１４に付設した情報管理装置１５により、前記菜園３の情報や散水や薬剤散布、採り入れなどの予定表等の内部情報及びインターネットや放送など適宜の通信手段により入手可能な天気情報や菜園に関する外部情報を図２に示すようにモニタ１３に表示し、更に記憶させておくことによりより便利な菜園管理を行うことができる。殊に、制御装置１４を用いて散水など各種作業の日にちや時間を予約しておくことにより作業を忘れたり、旅行にいって留守だったりしたとしても作物が枯れたりする心配がない。
【００２３】
更にまた、制御装置１４に付設した情報管理装置１５を介して無線または有線により外部のセキュリティー管理会社（図示せず）に接続可能とすることにより、防犯や防災にも役立つものとなる。
【００２４】
尚、本実施の形態では一軒家風の建物１について本発明を実施する場合を示したが、ビル形式の集合住宅ついても同様に実施すること巣ができることは勿論である。
【図面の簡単な説明】
【００２５】
【図１】本発明の好ましい実施の形態を示す概略図。
【図２】図１に示した実施の形態に使用する建物内に設置したモニタの正面拡大図。
【符号の説明】
【００２６】
１  建物、  ２  敷地、  ３  菜園、  ４  浄化槽、  ６  雨水捕集手段、  ８  貯水槽、  ９  散水装置、  １１  付加装置、  １２  モニタカメラ、  １３  モニタ、  １４  制御装置、  １５  情報管理装置
【図１】
2006000062.tif 000003
【図２】
2006000062.tif 000004